(57)【要約】【課題】通信ネットワークＲに結合された通信端末Ｔ１〜Ｔ３に伝送されるプログラム（またはコンテンツ）へのアクセスに関するデータの分析専用に設けられる装置ＤＡを提供すること。【解決手段】装置ＤＡはメモリＢと、ｉ）プログラムにアクセスしたばかりの端末Ｔ１によって伝送された、該プログラムを表す第１データを、アクセスが開始した時間を表す第２データおよびアクセスした端末を表す第３データと対応させて関連付けながらメモリ内に記憶し、ｉｉ）プログラムへのアクセスを停止したばかりの端末によって伝送された、該プログラムを表す第１データを、アクセスが停止された時間を表す第４データおよびアクセスを停止した端末を表す第３データと対応させて関連付けながらメモリ内に記憶し、さらにｉｉｉ）メモリ内に記憶されたデータにアクセスし、該プログラムのうち少なくとも一部の視聴を表す情報を割り出すプロセッサ手段ＭＴとを有する。【選択図】図１
2007128496.tif 000002
【特許請求の範囲】
【請求項１】
少なくとも１つの通信ネットワーク（Ｒ）によって、該通信ネットワークに結合された通信端末（Ｔｉ）に伝送されるプログラムへのアクセスに関するデータを割り出す方法であって、ｉ）プログラムにアクセスするそれぞれの端末（Ｔｉ）に、アクセスされたプログラムを表す第１データを少なくとも含む第１メッセージを分析装置（ＤＡ）に伝送させることと、ｉｉ）アクセス時間を表す第１メッセージからの第２データおよびプログラムにアクセスした端末（Ｔｉ）を表す第３データと対応させて関連付けながら前記分析装置（ＤＡ）内に前記第１データを記憶することと、ｉｉｉ）プログラムへのアクセスを停止するそれぞれの端末（Ｔｉ）に前記プログラムを表す第１データを少なくとも含む第２メッセージを前記分析装置（ＤＡ）に伝送させることと、ｉｖ）アクセスが終了した時間を表す第４データおよび該プログラムへのアクセスを停止した端末（Ｔｉ）を表す第３データと対応させて関連付けながら第２メッセージからの前記第１データを前記分析装置（ＤＡ）内に記憶することと、ｖ）前記分析装置（ＤＡ）内に記憶された前記データのうち少なくとも一部を分析して、前記プログラムのうち少なくとも一部の視聴を表す情報を少なくとも割り出すこととを特徴とする、方法。
【請求項２】
前記分析がリアルタイムで行われることを特徴とする、請求項１に記載の方法。
【請求項３】
前記端末（Ｔｉ）のユーザの特徴が割り出され、記憶されたデータのうち少なくとも一部が次いで前記ユーザ特徴のうち少なくとも一部に応じて分析されることを特徴とする、請求項１に記載の方法。
【請求項４】
前記ユーザ特徴のうち少なくとも一部がユーザの端末を表す第３データから割り出されることを特徴とする、請求項３に記載の方法。
【請求項５】
前記端末が前記第１メッセージおよび／または前記第２メッセージに前記ユーザ特徴のうち少なくとも一部を表す第５データを加えることを特徴とする、請求項３に記載の方法。
【請求項６】
前記端末が前記第１メッセージおよび／または前記第２メッセージに前記ユーザ特徴のうち少なくとも一部を表す第５データを加えることを特徴とする、請求項４に記載の方法。
【請求項７】
前記第１メッセージが前記第２データを含むことを特徴とする、請求項１に記載の方法。
【請求項８】
前記第１メッセージが前記第２データを含むことを特徴とする、請求項４に記載の方法。
【請求項９】
前記第２メッセージが前記第４データを含むことを特徴とする、請求項１に記載の方法。
【請求項１０】
前記第２メッセージが前記第４データを含むことを特徴とする、請求項４に記載の方法。
【請求項１１】
第１メッセージまたは第２メッセージが生成された後で該メッセージを伝送することが不可能である場合、第１メッセージまたは第２メッセージをオフラインで伝送できるよう、前記メッセージが該メッセージを生成した端末内に記憶されることを特徴とする、請求項１に記載の方法。
【請求項１２】
第１メッセージまたは第２メッセージが生成された後で該メッセージを伝送することが不可能である場合、第１メッセージまたは第２メッセージをオフラインで伝送できるよう、前記メッセージが該メッセージを生成した端末内に記憶されることを特徴とする、請求項４に記載の方法。
【請求項１３】
前記第１メッセージおよび前記第２メッセージが安全な方法で伝送されることを特徴とする、請求項１に記載の方法。
【請求項１４】
前記第１メッセージおよび前記第２メッセージが安全な方法で伝送されることを特徴とする、請求項４に記載の方法。
【請求項１５】
少なくとも１つの通信ネットワーク（Ｒ）によって、該通信ネットワークに結合された通信端末（Ｔｉ）に伝送されるプログラムへのアクセスに関するデータを分析するための装置（ＤＡ）であって、記憶手段（Ｂ）と、ｉ）プログラムにアクセスしたばかりの端末（Ｔｉ）によって伝送された、アクセスされたプログラムを表す第１データを少なくとも含む第１メッセージの受信時に、前記プログラムへのアクセスが開始した時間を表す第２データおよび前記プログラムにアクセスした端末（Ｔｉ）を表す第３データと対応させて関連付けながら前記第１データを前記記憶手段（Ｂ）内に記憶するように、ｉｉ）プログラムへのアクセスを停止したばかりの端末（Ｔｉ）によって伝送された、前記プログラムを表す第１データを少なくとも含む第２メッセージの受信時に、前記プログラムへのアクセスが停止された時間を表す第４データおよび前記プログラムへのアクセスを停止した端末（Ｔｉ）を表す第３データと対応させて関連付けながら前記第１データを前記記憶手段（Ｂ）内に記憶するように、およびｉｉｉ）前記記憶手段（Ｂ）内に記憶されたデータのうち少なくとも一部にアクセスし、前記プログラムのうち少なくとも一部の視聴を表す情報を少なくとも割り出すように構成されたプロセッサ手段（ＭＴ）とを有することを特徴とする、装置。
【請求項１６】
前記プロセッサ手段（ＭＴ）が前記割出しのうち少なくとも一部をリアルタイムで行うように構成されたことを特徴とする、請求項１５に記載の装置。
【請求項１７】
前記プロセッサ手段（ＭＴ）が第１メッセージの受信時に前記第２データを、および／または第２メッセージの受信時に前記第４データを割り出すように構成されたことを特徴とする、請求項１５に記載の装置。
【請求項１８】
前記プロセッサ手段（ＭＴ）が前記端末（Ｔｉ）のユーザの特徴を割り出すように、および前記データのうち少なくとも一部に基づき、前記ユーザ特徴のうち少なくとも一部に応じて前記割出しのうち少なくとも一部を行うように構成されたことを特徴とする、請求項１５に記載の装置。
【請求項１９】
前記プロセッサ手段（ＭＴ）が前記記憶手段（Ｂ）内に記憶されたユーザの端末（Ｔｉ）を表す第３データから前記端末（Ｔｉ）のユーザの特徴のうち少なくとも一部を割り出すように構成されたことを特徴とする、請求項１７に記載の装置。
【請求項２０】
前記プロセッサ手段（ＭＴ）が前記第１メッセージおよび／または前記第２メッセージから前記端末（Ｔｉ）のユーザの特徴のうち少なくとも一部を表す第５データを抽出するように構成されたことを特徴とする、請求項１７に記載の装置。
【請求項２１】
プログラムを伝送するように構成された通信ネットワーク（Ｒ）に結合された通信端末（Ｔｉ）用の制御装置（ＤＣ）であって、ｉ）前記端末（Ｔｉ）がプログラムにアクセスする場合には、請求項１５に記載の分析装置（ＤＡ）に送られることになる、アクセスされたプログラムを表す第１データを少なくとも含む第１メッセージを生成するように、およびｉｉ）前記端末（Ｔｉ）が前記プログラムへのアクセスを停止する場合には、前記分析装置（ＤＡ）に送られることになる、前記プログラムを表す前記第１データを少なくとも含む第２メッセージを生成するように構成された制御手段（ＭＣ）を有することを特徴とする、制御装置。
【請求項２２】
プログラムを伝送するように構成された通信ネットワーク（Ｒ）に結合された通信端末（Ｔｉ）用の制御装置（ＤＣ）であって、ｉ）前記端末（Ｔｉ）がプログラムにアクセスする場合には、請求項１７に記載の分析装置（ＤＡ）に送られることになる、アクセスされたプログラムを表す第１データを少なくとも含む第１メッセージを生成するように、およびｉｉ）前記端末（Ｔｉ）が前記プログラムへのアクセスを停止する場合には、前記分析装置（ＤＡ）に送られることになる、前記プログラムを表す前記第１データを少なくとも含む第２メッセージを生成するように構成された制御手段（ＭＣ）を有することを特徴とする、制御装置。
【請求項２３】
前記制御手段（ＭＣ）が前記第１メッセージに該プログラムがアクセスされた時間を表す第２データを加えるように構成されたことを特徴とする、請求項２０に記載の装置。
【請求項２４】
前記制御手段（ＭＣ）が前記第２メッセージに該プログラムへのアクセスが終了した時間を表す第４データを加えるように構成されたことを特徴とする、請求項２０に記載の装置。
【請求項２５】
前記制御手段（ＭＣ）が前記第１メッセージおよび／または前記第２メッセージに該端末（Ｔｉ）のユーザの特徴を表す第５データを加えるように構成されたことを特徴とする、請求項２０に記載の装置。
【請求項２６】
第１メッセージまたは第２メッセージが生成された後で該メッセージを伝送することが不可能である場合、第１メッセージまたは第２メッセージをオフラインで伝送できるよう、前記制御手段（ＭＣ）が前記メッセージを記憶するように構成されたことを特徴とする、請求項２０に記載の装置。
【請求項２７】
前記制御手段（ＭＣ）が制御手段（ＭＣ）の端末（Ｔｉ）に安全な方法で前記第１メッセージおよび前記第２メッセージを伝送することを命令するように構成されたことを特徴とする、請求項２０に記載の装置。
【発明の詳細な説明】
【技術分野】
【０００１】
本発明はその中でプログラム（またはコンテンツ）、例えば、テレビ、音楽、ラジオ、マルチメディアまたはビデオのプログラム（またはコンテンツ）が通信端末に伝送される移動体通信ネットワークまたは固定通信ネットワークに関し、より正確には、端末によるこれらプログラム（またはコンテンツ）へのアクセスに関する情報を取得することに関する。
【背景技術】
【０００２】
プログラム（またはコンテンツ）ブロードキャスト事業者（ｂｒｏａｄｃａｓｔｅｒ）間に強い競争が存在することから、各ブロードキャスト事業者の様々なプログラム（またはコンテンツ）によって得られた視聴に関する情報を可能な限り多く持つことはこれらブロードキャスト事業者にとって特に重要である。
【０００３】
現在、プログラム（またはコンテンツ）視聴を予測するための主な方法は２つある。
【０００４】
第１の方法は完全に口頭による。この方法は、路上でまたは電話で人サンプル（ａ  ｓａｍｐｌｅ  ｏｆ  ｐｅｒｓｏｎｓ）にインタビューすることにある。この方法をリアルタイムで用いることは実際的ではない。また、インタビューを行い、報告書を作成する職員を必要とするため費用がかかる。さらに、インタビューを受ける人数が制限されるため、視聴結果に関する誤差率は高い。
【０００５】
第２の方法は自動化されている。この方法は、プログラムを見るのに費やされた時間ならびにプログラムへのアクセスが開始する時間および終了する時間などの補完情報と共に、見られているテレビプログラムの識別子の記録を遠隔装置に伝送できるよう、人口の選択された部分の代表とみなされる人サンプルのテレビを、見られているテレビプログラムの識別子を継続的に記録する分析ユニットに接続することにある。家庭内のそれぞれの人物が独自の遠隔制御装置を持ち、市場区分（子供、男性、女性など）の点から識別される。
【０００６】
この第２の方法は定量的ではなく完全に定性的である。さらに、この方法はユニットをプログラム受信機に恒久接続することを必要とし、したがって、例えば、移動体（すなわち携帯）電話、ラップトップコンピュータおよび携帯情報端末（ＰＤＡ）などの移動対通信端末には全く適していない。また、分析の対象となるそれぞれのテレビにユニットを接続することを必要とするため費用がかかる。さらに、分析の対象となる人数が制限されるため、視聴結果に関する誤差率も高く、いくつかの分析ユニットが故障した場合、誤差率はさらに高くなる可能性がある。
【特許文献１】豪州特許第７６０６３４号明細書
【特許文献２】米国特許出願第２００２／１３８８３０号明細書
【特許文献３】欧州特許出願第１３６３１９５号明細書
【発明の開示】
【発明が解決しようとする課題】
【０００７】
当技術分野において十分満足の行くものであることが立証されている解決策は知られておらず、したがって、本発明の目的はこの状況を改善することである。
【課題を解決するための手段】
【０００８】
このために本発明は、少なくとも１つの通信ネットワークによって、該通信ネットワークに結合された通信端末に伝送されるプログラム（またはコンテンツ）へのアクセスに関するデータの割出し専用の方法を提案する。
【０００９】
本方法は以下であることを特徴とする：
プログラムにアクセスするそれぞれの端末に、アクセスされたプログラムを表す第１データを少なくとも含む第１メッセージを分析装置に伝送させる、
アクセス時間を表す第１メッセージからの第２データおよび該プログラムにアクセスした端末を表す第３データと対応させて関連付けながら第１データを分析装置内に記憶する、
プログラムへのアクセスを停止するそれぞれの端末に、該プログラムを表す第１データを少なくとも含む第２メッセージを分析装置に伝送させる、
プログラムへのアクセスが終了した時間を表す第４データおよび該プログラムへのアクセスを停止した端末を表す第３データと対応させて関連付けながら第２メッセージからの第１データを分析装置内に記憶する、および
分析装置内に記憶されたデータのうち少なくとも一部を分析し、該プログラムのうち少なくとも一部の視聴を表す情報を少なくとも割り出す。
【００１０】
本発明の方法はその他の特徴を有してもよく、具体的には、個別にまたは組み合わせて：
分析はリアルタイムで行ってよい；
端末のユーザの特徴（またはプロフィール）を割り出してもよく、この場合、記憶されたデータのうち少なくとも一部はユーザ特徴のうち少なくとも一部に応じて分析してよい；
ユーザ特徴のうち少なくとも一部は該ユーザの端末を表す第３データから割り出してよい；
端末は、ユーザ特徴のうち少なくとも一部を表す第５データを第１メッセージおよび／または第２メッセージに加えてよい；
第１メッセージは第２データを含んでよい；
第２メッセージは第４データを含んでよい；
第１メッセージまたは第２メッセージが生成された後で該メッセージを伝送することが不可能である場合、第１メッセージまたは第２メッセージをオフラインで伝送できるよう、該メッセージは該メッセージを生成した端末内に記憶されてよい；
第１メッセージおよび第２メッセージは安全な方法で伝送されてよい。
【００１１】
また本発明は、少なくとも１つの通信ネットワークによって、該通信ネットワークに結合された通信端末に伝送されるプログラム（またはコンテンツ）へのアクセスに関するデータを分析するための装置も提案する。
【００１２】
本装置は記憶手段、および以下を行うように構成されたプロセッサ手段を含むことを特徴とする：
プログラムにアクセスしたばかりの端末によって伝送された、アクセスされたプログラムを表す第１データを少なくとも含む第１メッセージの受信時に、該プログラムへのアクセスが開始した時間を表す第２データおよび該プログラムにアクセスした端末を表す第３データと対応させて関連付けながら第１データを記憶手段内に記憶する、
プログラムへのアクセスを停止したばかりの端末によって伝送された、該プログラムを表す第１データを少なくとも含む第２メッセージの受信時に、該プログラムへのアクセスが停止した時間を表す第４データおよび該プログラムへのアクセスを停止した端末を表す第３データと対応させて関連付けながら第１データを記憶手段内に記憶する、および
記憶手段内に記憶されたデータのうち少なくとも一部にアクセスし、該プログラムのうち少なくとも一部の視聴を表す情報を少なくとも割り出す。
【００１３】
本発明の分析装置はその他の特徴を有してもよく、具体的には、個別にまたは組み合わせて：
分析装置のプロセッサ手段は割出しのうち少なくとも一部をリアルタイムで行うように構成されてよい；
分析装置のプロセッサ手段は、第１メッセージの受信時に第２データを、および／または第２メッセージの受信時に第４データを割り出すように構成されてよい；
分析装置のプロセッサ手段は、端末のユーザの特徴を割り出し、データのうち少なくとも一部に基づき、このように割り出された特徴のうち少なくとも一部に応じて割出しの少なくとも一部を行うように構成されてよい；
分析装置のプロセッサ手段は、記憶手段内に記憶されたユーザの端末を表す第３データから端末のユーザの特徴のうち少なくとも一部を割り出すように構成されてよい；
分析装置のプロセッサ手段は第１メッセージおよび／または第２メッセージから端末のユーザの特徴のうち少なくとも一部を表す第５データを抽出するように構成されてよい。
【００１４】
本発明は、プログラム（またはコンテンツ）を伝送するように構成された通信ネットワークに結合された通信端末用の制御装置をさらに提案する。本制御装置は、一方では、端末がプログラムにアクセスする場合には、前述の種類の分析装置に送られることになる、アクセスされたプログラムを表す第１データを少なくとも含む第１メッセージを生成し、他方では、端末がプログラムへのアクセスを停止する場合には、分析装置に送られることになる、該プログラムを表す第１データを少なくとも含む第２メッセージを生成するように構成された制御手段を含む。
【００１５】
本発明の制御装置はその他の特徴を有してもよく、具体的には、個別にまたは組み合わせて：
制御装置の制御手段は第１メッセージにプログラムがアクセスされた時間を表す第２データを加えるように構成されてよい；
制御装置の制御手段は第２メッセージにプログラムへのアクセスが終了した時間を表す第４データを加えるように構成されてよい；
第１メッセージまたは第２メッセージが生成された後で該メッセージを伝送することが不可能である場合、第１メッセージまたは第２メッセージをオフラインで伝送できるよう、制御装置の制御手段は該メッセージを記憶するように構成されてよい；
制御装置の制御手段は第１メッセージおよび／または第２メッセージに端末のユーザの特徴を表す第５データを加えるように構成されてよい；
制御装置の制御手段は制御手段の端末に安全な方法で第１メッセージおよび第２メッセージを伝送することを命令するように構成されてよい。
【００１６】
本発明は、移動体（すなわち携帯）通信ネットワークおよび高速データ伝送路（例えば、ｘＤＳＬ（ｘデジタル加入者線）型回路、ケーブルまたは光ファイバ）を含む固定通信ネットワークに適合するが、これに限られない。一般に、本発明は（インターネットアクセスを提供する一部の衛星ネットワークの場合のように）実質的に恒久的なリターンチャンネル（ｒｅｔｕｒｎ  ｃｈａｎｎｅｌ）を有する任意の通信ネットワークに関する。
【００１７】
本発明の別の特徴および利点は、以下の詳細な説明を読み、添付の図面を検討することにより明らかになるであろう。添付図面の図１は、本発明の制御装置の一実施形態を備えた移動体通信端末と、本発明の分析装置の一実施形態を備えたサーバとが接続される移動体通信ネットワークの部分の構成図である。添付図面は本発明の説明の一部を構成すると同様に、必要に応じて、本発明の定義に寄与する。
【００１８】
本発明の目的は任意の形式のプログラム（またはコンテンツ）により得られた視聴に関する情報をリアルタイムで、外部ユニットへの再経路付け（ｒｅｃｏｕｒｓｅ）なしに自動的に生成することである。
【発明を実施するための最良の形態】
【００１９】
本発明は、モデム（変調装置／復調装置）を経由して応用できる場合、（好ましくは、高速データ伝送路（例えば、ｘＤＳＬ（ｘデジタル加入者線）型回路、ケーブルまたは光ファイバ）を含めて））固定通信ネットワークまたは（好ましくは、ＵＭＴＳ形式またはその変更形態および均等物の）移動体通信ネットワークに接続されることが可能であることを条件に、任意の固定形式または移動体形式の通信端末に当てはまる。例えば、端末は移動体（または携帯）電話、携帯情報端末（ＰＤＡ）、暗号化テレビプログラムデコーダ（ｅｎｃｒｙｐｔｅｄ  ｔｅｌｅｖｉｓｉｏｎ  ｐｒｏｇｒａｍ  ｄｅｃｏｄｅｒ）、セットトップボックス形式のテレビプログラム受信機ユニットまたは固定計算機もしくは携帯計算機であってよい。
【００２０】
前述のように、本発明は実質的に恒久的なリターンチャンネルを有する通信ネットワーク（例えば、インターネットアクセスを提供する一部の衛星ネットワーク）に接続されることが可能な任意の形式の通信端末に関する。
【００２１】
以下で、限定されない実施例として、通信端末（以下、「端末」と呼ぶ）は、例えばＤＶＢ−Ｈ（デジタルビデオブロードキャスティングハンドセット）形式標準規格に従って、移動体（または携帯）通信ネットワークに接続され、ラジオによって音楽プログラムを、および／またはテレビプログラムおよび／またはビデオプログラムを受信することが可能なＵＭＴＳ形式の移動体電話であると考えられる。
【００２２】
一図に示されるように、本発明は端末Ｔｉ（あるいはすべてのそのような端末）に制御装置ＤＣを備え、該端末が接続される、必ずしも移動体ネットワークＲであるとは限らない通信ネットワークに接続される通信設備Ｓ（例えば、サーバ）内に分析装置ＤＡを設置することを必要とする。
【００２３】
本発明の分析装置ＤＡが設置される通信設備Ｓに関する唯一の制約は、端末の（１つまたは複数の）親ネットワーク（ｐａｒｅｎｔ  ｎｅｔｗｏｒｋ）を経由して固定通信端末または移動体通信端末にアクセス可能な通信ネットワークに接続されなければならない点であることに留意されることが重要である。したがって、端末の（１つまたは複数の）親ネットワークは通信設備Ｓが接続されるネットワークに直接的または間接的に結合されることを条件に、通信設備Ｓはプライベートネットワーク、移動体ネットワークまたはインターネットに接続されることが可能である。
【００２４】
さらに、本発明の分析装置ＤＡが設置される通信設備Ｓが接続されるネットワークは、異なる形式のネットワーク（例えば、移動体ネットワーク、ケーブルネットワークおよびｘＤＳＬネットワーク）に接続可能であり、分析装置ＤＡは異なる形式（例えば、移動体電話およびｘＤＳＬ回線または光ファイバに接続されたテレビ受信機）の端末からのデータを処理するように構成されてよい。
【００２５】
以下で、限定されない実施例として、サーバＳは端末Ｔｉの親ネットワークである移動体ネットワークＲに接続され、該端末Ｔｉ（ここでは移動体電話）からのみデータを受信すると考えられる。
【００２６】
さらに本実施例では、３つの端末Ｔ１からＴ３（ｉ＝１から３）が存在するが、端末Ｔｉの数は必要となる可能性のある数まで高めてよい（必要数の端末Ｔｉに制御装置ＤＣを備えれば十分である）。
【００２７】
本発明の制御装置ＤＣは、制御モジュールＭＣが設置されている端末Ｔｉがプログラム（またはコンテンツ）にアクセスを開始するたびに、および該プログラム（またはコンテンツ）へのアクセスを停止するたびに干渉する制御モジュールＭＣを含む。
【００２８】
例えば、制御モジュールＭＣは、別のプログラムが加入できる特定のイベントまたはメッセージを用いて、プログラムへのアクセスが開始したことまたは終了したことをディスプレイモジュールＭＡによって通知されてもよい。いずれの場合も、メッセージ送信側モジュールはディスプレイモジュールＭＡ内または外部モジュール内に設けなければならない。この種のメッセージ送信側モジュールは「ザッピング」（高速プログラム間ナビゲーション）フィルタ機能、好ましくは構成可能な該機能を提供してもよい。したがって、第１メッセージまたは第２メッセージが生成される場合、該メッセージは送信される前に選択された（構成可能な）期間記憶されてよい。例えば、記憶されたメッセージがアクセス開始メッセージであり、選択された記憶期間の終了前にアクセス終了メッセージが生成される場合、この動作はザッピングであるとみなされ、両方のメッセージは送信されずに破壊される。
【００２９】
あるいは、プログラムへのアクセスが開始するたびにおよび終了するたびに検出できるよう、制御モジュールＭＣはディスプレイモジュールＭＡの動作を監視してもよい。また制御モジュールＭＣは前述のザッピング検出機能を用いてもよい。
【００３０】
より正確には、制御モジュールＭＣの端末Ｔｉがプログラムにアクセスするたびに、制御モジュールＭＣは、アクセスされたプログラムを表す第１データ（例えば、プログラムの識別子またはプログラムが伝送されるチャンネルの識別子）を少なくとも含む第１メッセージを生成する。次いで、制御モジュールＭＣの端末Ｔｉの送信側／受信側のモジュールＭＥＲが第１メッセージを分析装置ＤＡに（実際は、分析装置が設置されるサーバＳに）伝送できるよう、制御モジュールＭＣはこの第１メッセージを制御モジュールＭＣの端末Ｔｉの送信側／受信側のモジュールＭＥＲに通信する。
【００３１】
様々な交換媒体を用いて第１メッセージおよび第２メッセージを伝送してもよい。例えば、分析装置ＤＡがユーザのアクセスプロバイダのネットワーク内に存在する場合、信号チャンネルを用いてよい。そうでなければ、例えばＩＰ（インターネットプロトコル）チャンネルを用いてよい。
【００３２】
同様に、制御モジュールＭＣの端末Ｔｉがプログラムへのアクセスを停止するたびに、制御モジュールＭＣは該プログラムを表す第１データを少なくとも含む第２メッセージを生成する。次いで、制御モジュールＭＣの端末Ｔｉの送信側／受信側のモジュールＭＥＲが第２メッセージを分析装置ＤＡに（実際は、分析装置が設置されるサーバＳに）伝送できるよう、制御モジュールＭＣはこの第２メッセージを制御モジュールＭＣの端末Ｔｉの送信側／受信側のモジュールＭＥＲに通信する。
【００３３】
任意の技術を用いて、第１メッセージと第２メッセージとを区別してよい。この例示的および限定されない一例は、制御モジュールＭＣがこれらのメッセージに、例えば０ビットまたは１ビットを含む形式領域（ｔｙｐｅ  ｆｉｅｌｄ）を付加することである。例えば、制御モジュールＭＣは値０を第１メッセージの形式領域に、値１を第２メッセージの形式領域に割り当てる。
【００３４】
制御モジュールＭＣは、安全な方法で第１メッセージおよび第２メッセージを伝送することを制御モジュールＭＣの端末Ｔｉに命令してよい点に留意することが重要である。
【００３５】
サーバは第１メッセージまたは第２メッセージを受信すると、該メッセージを分析装置ＤＡに転送する。
【００３６】
図に図式的に示されるように、分析装置ＤＡは記憶手段ＢおよびプロセッサモジュールＭＴを含む。
【００３７】
記憶手段ＢはプロセッサモジュールＭＴから受信されたデータを記憶し、任意の形（例えば、メモリまたはデータベース（後者は、本明細書で以下に議論される選択肢である））をとってよい。
【００３８】
プログラムへのアクセスを始めたばかりの端末Ｔｉから第１メッセージを受信するたびに、プロセッサモジュールＭＴは該メッセージから該プログラムを表す第１データを抽出し、次いで該プログラムがアクセスされた時間を表す第２データおよび該プログラムにアクセスする端末Ｔｉを表す第３データを割り出す。
【００３９】
特に視聴測定に求められる時間精度を考えると、第１メッセージが制御装置ＤＣと分析装置ＤＡとの間を移動するために必要な時間は非常に短く、端末Ｔｉによるプログラムへのアクセス検出に続いて制御モジュールＭＣが第１メッセージを生成するのにかかる時間も非常に短いため、プロセッサモジュールＭＴは、第１メッセージを受信する時間を、例えば該プログラムへのアクセスが開始する時間とみなしてよい。したがって、第２データは第１メッセージが受信される時間を表すものと考えてよい。あるいは、プロセッサモジュールＭＴは第１メッセージが受信される時間から、移動時間および第１メッセージを生成するために必要な時間を表す定数値を引いてもよい。
【００４０】
想定される可能性のある別の選択肢は、それぞれの制御モジュールＭＣが、制御モジュールＭＣの端末Ｔｉがプログラムにアクセスを開始する時間を表す第２データを加えることである。この場合、プロセッサモジュールＭＴが第１メッセージを受信すると、該プログラムへのアクセスが開始する時間は第１メッセージが含む第２データによって表されるため、プロセッサモジュールＭＴはもはや該プログラムへのアクセスが開始する時間を割り出す必要はない。
【００４１】
前述のように、任意の技術を用いて、第１メッセージと第２メッセージとを区別してよい。この例示的および限定されない一例は、第２データに（アクセスの終了に対して）アクセスの開始を表す値のビットを加えることである。例えば、このビットの値は第１メッセージ内に含まれる形式領域の値によって定められてもよい（例えば、アクセスの開始に関しては値０、アクセスの終了に関しては値１）。
【００４２】
この限定されない一例は、第３データがプログラム（またはコンテンツ）にアクセスしている端末Ｔｉ、すなわち第１メッセージを伝送したばかりの端末の通信識別子の形をとることである。この場合も、限定されない例として、通信識別子は移動体電話の場合は電話番号、またはケーブルネットワークに接続されたコンピュータまたはテレビ受信機の場合は電子メール（ｅ−メール）アドレスであってよい。一般に、サービスのユーザを独自に識別する任意のデータを用いてよい。
【００４３】
プロセッサモジュールＭＴは、第２データおよび第３データと対応させて関連付けながら、例えば多重項（ｍｕｌｔｉｐｌｅｔ）の形で、受信されたそれぞれの第１メッセージからの第１データを記憶する。
【００４４】
プログラムへのアクセスを停止したばかりの端末Ｔｉから第２メッセージを受信するたびに、プロセッサモジュールＭＴは該メッセージから該プログラムを表す第１データを抽出し、次いで、該プログラムへのアクセスが終了した時間を表す第４データおよび予め該プログラムにアクセスしていた端末Ｔｉを表す第３データを割り出す。
【００４５】
前述のように、特に視聴測定に求められる時間精度を考えると、第２メッセージが制御装置ＤＣと分析装置ＤＡとの間を移動するために必要な時間は非常に短く、制御モジュールＭＣの端末Ｔｉがプログラムへのアクセスを停止したことを検出した後で制御モジュールＭＣが第２メッセージを生成するのにかかる時間も非常に短いため、プロセッサモジュールＭＴは、第２メッセージを受信する時間を、例えば該プログラムへのアクセスが終了した時間とみなしてよい。したがって、第４データは第２メッセージを受信する時間を表すものと考えてよい。あるいは、プロセッサモジュールＭＴは第２メッセージを受信する時間から、移動時間および第２メッセージを生成するために必要な時間を表す定数値を引いてもよい。
【００４６】
想定されることが可能な別の選択肢は、それぞれの制御モジュールＭＣが、制御モジュールＭＣの端末Ｔｉがプログラムへのアクセスを停止する時間を表す第４データを加えることである。この場合、プロセッサモジュールＭＴが第２メッセージを受信すると、該プログラムへのアクセスが終了した時間は第２メッセージが含む第４データによって表されるため、プロセッサモジュールＭＴはもはや該プログラムへのアクセスが終了した時間を割り出す必要はない。
【００４７】
前述のように、任意の技術を用いて、第１メッセージと第２メッセージとを区別してよい。この例示的および限定されない一例は、第４データに（アクセスの終了に対して）アクセスの開始を表す値のビットを加えることである。このビットの値は第２メッセージ内に含まれる形式領域の値によって定められてもよい（例えば、アクセスの終了に関して値１、アクセスの開始に関しては値０）。
【００４８】
プロセッサモジュールＭＴは、第３データおよび第４データと対応させて関連付けながら、例えば多重項の形で、受信されたそれぞれの第２メッセージからの第１データを記憶する。
【００４９】
またプロセッサモジュールＭＴは、データが関連するプログラムのうち少なくとも一部の視聴を表す情報を少なくとも割り出せるように、要求に応じて、データベースＢ内に記憶されたデータ（第１データ（プログラム識別子）、第２データ（プログラムへのアクセス開始の時間）、第３データ（端末Ｔｉ識別子）および第４データ（プログラムへのアクセス終了の時間））のうち少なくとも一部にもアクセスする。
【００５０】
単なる例示として、以下にいくつかの概略視聴データ分析例が与えられる。
【００５１】
プログラムの視聴は、例えば、選択された時間（例えば、プログラム期間全体）またはプログラム期間の選択された割合（例えば、プログラム期間の９０％を超える時間）の間、該プログラムを見る人数として定義してもよい。
【００５２】
プログラムの視聴を割り出すには、プロセッサモジュールＭＴは、したがってデータベースＢから該プログラムを表す同じ第１データを含むすべての多重項を抽出することから始めてよい。次いで、プロセッサモジュールＭＴは抽出された多重項のうちのいずれが同じ端末識別子Ｔｉを表す第３データを含むのかを割り出してもよい。次いで、プロセッサモジュールＭＴは、同じ第３データを含む多重項内の第２データおよび第４データから、それぞれの端末識別子Ｔｉによる該プログラムへのアクセス期間を割り出してもよい。最後に、例えば、あるしきい値を超える期間と関連する端末Ｔｉを維持できるよう、プロセッサモジュールＭＴはこの方法で割り出されたそれぞれの期間をこのしきい値と比較してもよい。これら端末の数は関連するプログラムの視聴を定める。
【００５３】
また、プログラムのうち少なくとも一部の視聴を表す他の情報（例えば、アクセスが開始する平均時間および／またはアクセスが開始する平均時間帯、および／またはアクセスが終了する平均時間帯、および／または視聴数）を割り出すことを目的として、プロセッサモジュールＭＴはプロセッサモジュールＭＴのデータベースＢ内に記憶されたデータを分析するように構成されてもよい。
【００５４】
例えば、時間間隔を横断する（ｉｎｔｅｒｓｅｃｔ  ｔｉｍｅ  ｉｎｔｅｒｖａｌｓ）間に伝送されるプログラムのセットに関する視聴数を割り出すには、プロセッサモジュールＭＴはまず前述の方法で該セットのプログラムそれぞれに関する視聴を割り出してよい。次いで、プロセッサモジュールＭＴはこれら視聴を合計し、該セットのプログラムそれぞれに関する視聴を視聴の合計で割ると、求められる視聴数が出る。
【００５５】
平均プログラムアクセス時間を割り出すには、プロセッサモジュールＭＴは、例えば、データベースＢから該プログラムを表す同じ第１データを含むすべての多重項を抽出することから始めてよい。次いで、プロセッサモジュールＭＴは抽出された多重項のうちのいずれが同じ端末Ｔｉを表す第３データを含むのかを割り出す。次いで、プロセッサモジュールＭＴは、同じ第３データを含む多重項からの第２データおよび第４データから、それぞれの端末Ｔｉが該プログラムへのアクセスを開始した時間を割り出す。最後に、プロセッサモジュールＭＴは割り出した期間を合計し、この和を関連プログラムにアクセスした端末の数で割ると、平均プログラムアクセス時間が決まる。
【００５６】
プログラムへのアクセスが開始する平均時間帯を割り出すには、プロセッサモジュールＭＴは、例えば、データベースＢから該プログラムを表す同じ第１データおよびプログラムアクセス時間を表す第２データを含むすべての多重項を抽出することから始めてよい。次いで、プロセッサモジュールＭＴはアクセス時間を「合計し」、この和を関連プログラムにアクセスした端末の数で割ると、該プログラムへのアクセスが開始した平均時間が決まる。
【００５７】
プログラムへのアクセスが終了した平均時間帯を割り出すには、プロセッサモジュールＭＴは、例えば、データベースＢから該プログラムを表す同じ第１データおよび該プログラムへのアクセスが終了した時間を表す第４データを含むすべての多重項を抽出することから始めてよい。次いで、プロセッサモジュールＭＴはアクセスが終了した時間を「合計し」、この和を関連プログラムにアクセスした端末の数で割ると、該プログラムへのアクセスが終了した平均時間が決まる。
【００５８】
前述の視聴データを処理する方法は、本発明を限定しない概略例に過ぎない。視聴データ処理に関する多くの統計的モデルが当技術分野で知られている。一般に、本発明によって得られた視聴データは記憶され、後に、必要となる可能性がある任意の適切な統計的（またはその他）処理にかけることが可能である。「生の」結果（例えば、この時点で所与のプログラムを見ている人数）、およびユーザ特徴（例えば、所与のプログラムを見ている１５歳から２５歳の人の数）と相関させた生の結果またはオフライン結果さえも、次いで分析装置ＤＡのクライアントが利用できるようにすることが可能である点に留意されることが重要である。
【００５９】
多くの種類のユーザ特徴（またはユーザプロフィールのうち少なくとも一部）は、特にトラフィック分析または視聴率を精緻化（例えば、年齢範囲および／または関心領域および／または好ましいブロードキャスト形式および／または性別など）する目的で、プログラムブロードキャスト事業者に役立つ可能性がある。
【００６０】
プロセッサモジュールＭＴは様々な方法でこれらユーザ特徴を取得することが可能である。１つの方法は、プロセッサモジュールＭＴがユーザの端末Ｔｉを表すデータベースＢ内に記憶された第３データから端末Ｔｉのユーザの選択された特徴（またはユーザプロフィールのうち少なくとも一部）を割り出すことである。
【００６１】
このために、プロセッサモジュールＭＴはプロセッサモジュールＭＴに第１メッセージおよび第２メッセージを送る端末Ｔｉの親ネットワークに、（ユーザの端末Ｔｉの識別子によって識別された）選択されたユーザ特徴の伝送要求を送信してよい。したがって、プロセッサモジュールＭＴがこれらの選択された特徴にアクセスする場合、プロセッサモジュールＭＴはデータベースＢ内に記憶されたデータのうち少なくとも一部に基づき、この方法で割り出された特徴のうち少なくとも一部に応じて視聴結果のうち少なくとも一部を割り出すことができる。
【００６２】
別の処理方法、およびこれまでの方法と相互排他的でない方法は、端末Ｔｉに端末Ｔｉのユーザの特徴を表す（第５）データを伝送させることであり、このデータはデータベースＢ内に記憶されているその他のデータに加えてもよく、プロセッサモジュールＭＴが利用しやすいものであってよい。この場合、例えば、端末Ｔｉ内に設置された制御装置ＤＣは（第５）データを第１メッセージおよび／または第２メッセージに加えてもよい。処理モジュールＭＴは、次いでこの（第５）データ、および適切な場合にはその他のデータを用いて、分析の一部を行ってよい。端末Ｔｉによるこれらユーザ特徴の一部またはすべての伝送は、地方法規および／またはユーザによる伝送の事前同意によって決めてもよい。
【００６３】
プロセッサモジュールＭＴによって行われる分析結果は、メッセージの形でプロセッサモジュールＭＴの分析装置ＤＡによって引き渡される最終データの形をとる。
【００６４】
端末Ｔｉは端末の第１メッセージおよび第２メッセージを生で伝送することができることが上に想定されている。しかしこれは、プログラムブロードキャスト事業者のネットワークが動作していても、特にメッセージの生成時にネットワーク（ＧＰＲＳ）が利用できない場合、必ずしも可能であるとは限らない。これらの状況を考慮に入れるためには、例えば、送信されていないメッセージを後で（可能な限り早く）伝送できるよう、端末Ｔｉ内に設置された制御装置ＤＣの制御モジュールＭＣは送信されていないメッセージを専用メモリ内に記憶するように構成されてもよい。
【００６５】
本発明の制御装置ＤＣ、および特に制御装置ＤＣの制御モジュールＭＣ、および／または分析装置ＤＡ、ならびに特に分析装置ＤＡのプロセッサモジュールＭＴおよび分析装置ＤＡの記憶手段Ｂは、電子回路、ソフトウェア（または電子データ処理）モジュール、または回路とソフトウェアを組み合わせた形をとってよい。
【００６６】
制御装置ＤＣが完全にソフトウェアの形で実施される場合、制御装置ＤＣは制御装置ＤＣの組立てもしくは使用開始（ｃｏｍｍｉｓｓｉｏｎ）の間に端末内に設置してよく、または端末の親ネットワークを経由して、もしくは端末間通信手段（例えば、Ｂｌｕｅｔｏｏｔｈ形式）を経由して別の端末形式（例えば個人用コンピュータ（ＰＣ））から端末内にダウンロードしてもよい。
【００６７】
本発明は、定量的な視聴データおよび、必要に応じて、あるいは定性的な視聴データを割り出す方法を提供するという点で特に有利である。
【００６８】
本発明は、単に例として上に記載された制御装置、通信端末、分析装置およびデータ割出し方法の実施形態に限定されず、特許請求の範囲に含まれる、当業者が想定することが可能なあらゆる変更形態を包括する。
【図面の簡単な説明】
【００６９】
【図１】本発明の制御装置の一実施形態を備えた移動体通信端末と、本発明の分析装置の一実施形態を備えたサーバとが接続された移動体通信ネットワークの一部の図である。
【符号の説明】
【００７０】
Ｂ  記憶手段
ＤＡ  分析装置
ＤＣ  制御装置
ＭＴ  プロセッサ手段
Ｒ  通信ネットワーク
Ｔ１〜３  端末
【図１】
2007128496.tif 000003
【外国語明細書】
2007128496.tif 000004
2007128496.tif 000005
2007128496.tif 000006
2007128496.tif 000007
2007128496.tif 000008
2007128496.tif 000009
2007128496.tif 000010
2007128496.tif 000011
2007128496.tif 000012
2007128496.tif 000013
2007128496.tif 000014
2007128496.tif 000015
2007128496.tif 000016
2007128496.tif 000017
2007128496.tif 000018
2007128496.tif 000019
2007128496.tif 000020
2007128496.tif 000021
2007128496.tif 000022
2007128496.tif 000023